(57)【特許請求の範囲】
【請求項１】
波長多重された入力信号光に対し、ＯＡＤＭ（Ｏｐｔｉｃａｌ  Ａｄｄ−Ｄｒｏｐ  Ｍｕｌｔｉｐｌｅｘｅｒ）により分波・挿入を行った出力波長多重信号を出力するＯＡＤＭシステムにおいて、
前記入力信号光の入力光波長数を算出する入力光波長数算出手段と、
前記入力信号光を波長毎に分波し、この分波された波長に基づいて分岐光波長数を算出する分岐光波長数算出手段と、
挿入光の挿入光波長数を算出する挿入光波長数算出手段と、
前記入力光波長数算出手段による前記入力光波長数、前記分岐光波長数算出手段による前記分岐光波長数、及び前記挿入光波長数算出手段による前記挿入光波長数に基づいて出力光波長数を算出する出力光波長数算出手段と、
前記出力光波長数算出手段による出力光波長数を前記ＯＡＤＭの出力信号光に合波する合波手段を備えることを特徴とするＯＡＤＭシステム。
【請求項２】
波長多重された入力信号光に対し、ＯＡＤＭ（Ｏｐｔｉｃａｌ  Ａｄｄ−Ｄｒｏｐ  Ｍｕｌｔｉｐｌｅｘｅｒ）により分波・挿入を行った出力波長多重信号を出力するＯＡＤＭシステムにおいて、
前記入力信号光の光レベルを検出するレベル検出手段と、
挿入光の挿入光波長数を算出する挿入光波長数算出手段と、
前記レベル検出手段が前記入力信号光のレベルが規定値に達していないことを検出したとき、前記挿入光波長数算出手段による前記挿入光波長数を出力波長多重信号波長数として用いる出力光波長数算出手段と、
前記出力光波長数算出手段による出力光波長数を前記ＯＡＤＭの出力信号光に合波する合波手段を備えることを特徴とするＯＡＤＭシステム。
【請求項３】
入力波長多重信号が入力される第１のカプラと、
前記第１のカプラに接続され、前記入力波長多重信号を波長毎に分波する分波フィルタと、
前記分波フィルタの出力に基づいて分岐光波長数を算出する分岐光波長数算出部と、
挿入光の挿入光波長数を算出する挿入光波長数算出部と、
前記１又は複数の挿入光を前記第１のカプラの出力光に合波させる第２のカプラと、
前記第１のカプラから分岐されたシステム監視用光信号に基づいて前記入力波長多重信号の入力光波長数を算出する入力光波長数算出部と、
前記入力光波長数算出部による前記入力光波長数、前記分岐光波長数算出部による前記分岐光波長数、及び前記挿入光波長数算出部による前記挿入光波長数に基づいて出力光波長数を算出する出力光波長数算出部と、
前記出力光波長数算出部による出力光波長数を前記第２のカプラの出力光に合波する第３のカプラを備えることを特徴とするＯＡＤＭシステム。
【請求項４】
前記分岐光波長数算出部は、前記分波フィルタより出力される光信号のそれぞれの光レベルを検出する複数のフォトダイオードと、
前記複数のフォトダイオードの検出信号に基づいて前記分岐光波長数を算出する分岐光波長数算出回路を備えることを特徴とする請求項３記載のＯＡＤＭシステム。
【請求項５】
前記挿入光波長数算出部は、前記挿入光のそれぞれの光レベルを検出する複数のフォトダイオードと、
前記複数のフォトダイオードの検出信号に基づいて前記挿入光波長数を算出する挿入光波長数算出部を備えることを特徴とする請求項３記載のＯＡＤＭシステム。
【請求項６】
波長多重伝送に用いられるＯＡＤＭ（Ｏｐｔｉｃａｌ  Ａｄｄ−Ｄｒｏｐ
Ｍｕｌｔｉｐｌｅｘｅｒ）システムの出力光波長数を算出する波長数算出方法において、
入力波長多重信号の入力光波長数（Ｘ）、前記入力波長多重信号を波長毎に分波して得た分波光信号に基づいて算出した分岐光波長数（Ｙ）、および入力波長多重信号を分波した後の通過波長多重信号に挿入される挿入光の挿入光波長数（Ｚ）に基づいて、前記出力光波長数（Ａ）を、
Ａ＝Ｘ−Ｙ＋Ｚ
として算出することを特徴とするＯＡＤＭシステムの波長数算出方法。
【請求項７】
波長多重伝送に用いられるＯＡＤＭ（Ｏｐｔｉｃａｌ  Ａｄｄ−Ｄｒｏｐ  Ｍｕｌｔｉｐｌｅｘｅｒ）システムの出力光波長数を算出する波長数算出方法において、
挿入光の挿入光波長数を算出し、
入力波長多重信号の光レベルが規定値に達していないときに入力断の情報を生成し、
前記入力断の情報の発生をもって前記挿入光波長数を前記出力光波長数にすることを特徴とするＯＡＤＭシステムの波長数算出方法。
【発明の詳細な説明】
【０００１】
【発明の属する技術分野】
本発明は、ＯＡＤＭ（Ｏｐｔｉｃａｌ  Ａｄｄ−Ｄｒｏｐ  Ｍｕｌｔｉｐｌｅｘｅｒ：光アド・ドロップ・マルチプレクサ）システム及びその波長数算出方法に関し、特に、入力（出力）波長多重信号の波長毎にモニタ等を備えることなく、波長数を算出することが可能なＯＡＤＭシステム及びその波長数算出方法に関する。
【０００２】
【従来の技術】
図４は、従来のＯＡＤＭシステムを示す。
従来のＯＡＤＭシステム１００は、入力波長多重信号Ｓｉを波長毎に分波する分波器としてのデマルチプレクサ（Ｄｅｍｕｌｔｉｐｌｅｘｅｒ：ＤＭＵＸ）１０１、このデマルチプレクサ１０１に接続された光スイッチ（ＳＷ）１０２−１〜１０２−ｎ、この光スイッチ１０２−１〜１０２−ｎのそれぞれに接続された光レベル制御器１０３−１〜１０３−ｎ、この光レベル制御器１０３−１〜１０３−ｎから出力される各波長を合波して出力波長多重信号Ｓｏを出力する合波器としてのマルチプレクサ（Ｍｕｌｔｉｐｌｅｘｅｒ：ＭＵＸ）１０４、及び光スイッチ１０２−１〜１０２−ｎと光レベル制御器１０３−１〜１０３−ｎを結ぶ光ファイバ１０５−１〜１０５−ｎのそれぞれに接続されたレベルモニタ１０６−１〜１０６−ｎを備えて構成されている。
【０００３】
入力波長多重信号Ｓｉ  はλ１〜λｎが波長多重されており、デマルチプレクサ１０１によってλ１、λ２、λ３、・・・〜λｎの各波長に分波する。波長λ１〜λｎに分波された光信号は対応する光スイッチ１０２−１〜１０２−ｎに入力され、必要に応じて分岐光信号Ｓｄとして外部に取り出される。また、光スイッチ１０２−１〜１０２−ｎには、外部から波長λ１〜λｎの任意の光信号が挿入光信号Ｓａとして挿入される。光スイッチ１０２−１〜１０２−ｎからの各信号は、レベルモニタ１０６−１〜１０６−ｎのそれぞれによってモニタされ、その偏差が是正される様に、光レベル制御器１０３−１〜１０３−ｎによって個別にレベル合わせが行われる。光レベル制御器１０３−１〜１０３−ｎによってレベル合わせされた光信号λ１〜λｎは、マルチプレクサ１０４に入力されて合波され、出力波長多重信号Ｓｏとしてマルチプレクサ１０４から出力される。
【０００４】
また、ＯＡＤＭシステムにおいては、レベルモニタ１０６−１〜１０６−ｎの出力信号を用い、或いは入力波長多重信号の各波長の伝送路にモニタ回路等を別途設けて、入力波長多重信号の波長数の算出を行っている。従来、ＯＡＤＭシステムを含まない波長多重伝送においては、波長数は端局によって算出され、ＳＶ信号（システム監視信号）  として伝送されている。一方、中継局においては、分岐も挿入も行われないため、波長数の増減はあり得ないので、中継局での波長数算出を必要としなかった。しかし、ＯＡＤＭシステムを含んだ波長多重伝送においては、ＯＡＤＭが付加される中継局で光信号の分岐・挿入が行われる。しかも、分岐光と挿入光の波長数が必ずしも同じではないため、入力波長多重信号Ｓｉと出力波長多重信号Ｓｏの波長数が一致しないことがある。このため、ＯＡＤＭが付加される中継局においては、波長数を算出する必要がある。そこで、前段から後段へ波長数の情報を送信することが行われている。
【０００５】
【発明が解決しようとする課題】
しかし、従来のＯＡＤＭシステムによると、入力波長多重信号の波長単位に設けられたレベルモニタ１０６−１〜１０６−ｎその他の機材を用いて光波長数の算出が行われている。このため、光信号の波長間のレベル合わせを行わない場合であっても光波長数の算出を行おうとすると、多重波長数に応じた多数のレベルモニタ等の機材を必要とする。使用部品（機材）数が増えることによりコストアップを招くと共に、これに伴って故障率も高くなる。
【０００６】
したがって、本発明の目的は、多重波長数が増えても入力（出力）の波長多重信号に対する波長毎のモニタを不要にし、コストアップの防止及び信頼性の向上が図れるようにしたＯＡＤＭシステムを提供することにある。
【０００７】
また、本発明の他の目的は、分岐・挿入波長以外の通過波長多重信号を波長毎にモニタすることなく波長数を算出することが可能なＯＡＤＭシステムの波長数算出方法を提供することにある。
【０００８】
【課題を解決するための手段】
本発明は、上記の目的を達成するため、第１の特徴として、波長多重された入力信号光に対し、ＯＡＤＭにより分波・挿入を行った出力波長多重信号を出力するＯＡＤＭシステムにおいて、前記入力信号光の入力光波長数を算出する入力光波長数算出手段と、前記入力信号光を波長毎に分波し、この分波された波長に基づいて分岐光波長数を算出する分岐光波長数算出手段と、挿入光の挿入光波長数を算出する挿入光波長数算出手段と、前記入力光波長数算出手段による前記入力光波長数、前記分岐光波長数算出手段による前記分岐光波長数、及び前記挿入光波長数算出手段による前記挿入光波長数に基づいて出力光波長数を算出する出力光波長数算出手段と、前記出力光波長数算出手段による出力光波長数を前記ＯＡＤＭの出力信号光に合波する合波手段を備えることを特徴とするＯＡＤＭシステムを提供する。
【０００９】
この構成によれば、入力光波長数算出手段よって算出された入力光波長数、分岐光波長数算出手段によって算出された分岐光波長数、及び前記挿入光波長数算出手段によって算出された挿入光波長数の３つの光波長数に基づいて出力光波長数算出手段により出力光波長数が算出される。得られた出力光波長数は、合波手段によってＯＡＤＭの出力信号光に合波され、出力波長多重信号となる。したがって、多重波長数が増えても波長毎にモニタ等を設ける必要がなくなるため、コストダウンが図れると共に信頼性の向上が可能になる。
【００１０】
本発明は、上記の目的を達成するため、第２の特徴として、波長多重された入力信号光に対し、ＯＡＤＭにより分波・挿入を行った出力波長多重信号を出力するＯＡＤＭシステムにおいて、前記入力信号光の光レベルを検出するレベル検出手段と、挿入光の挿入光波長数を算出する挿入光波長数算出手段と、前記レベル検出手段が前記入力信号光のレベルが規定値に達していないことを検出したとき、前記挿入光波長数算出手段による前記挿入光波長数を出力波長多重信号波長数として用いる出力光波長数算出手段と、前記出力光波長数算出手段による出力光波長数を前記ＯＡＤＭの出力信号光に合波する合波手段を備えることを特徴とするＯＡＤＭシステムを提供する。
【００１１】
この構成によれば、挿入光の挿入光波長数が挿入光波長数算出手段により算出され、入力波長多重信号の光レベルが規定値に達していないときに前記挿入光波長数を出力波長多重信号波長数として用いる。これにより、何らかの障害により入力波長多重信号が入力されない場合でも、出力光波長数を算出することができる。
【００１２】
本発明は、上記の目的を達成するため、第３の特徴として、入力波長多重信号が入力される第１のカプラと、前記第１のカプラに接続され、前記入力波長多重信号を波長毎に分波する分波フィルタと、前記分波フィルタの出力に基づいて分岐光波長数を算出する分岐光波長数算出部と、挿入光の挿入光波長数を算出する挿入光波長数算出部と、前記１又は複数の挿入光を前記第１のカプラの出力光に合波させる第２のカプラと、前記第１のカプラから分岐されたシステム監視用光信号に基づいて前記入力波長多重信号の入力光波長数を算出する入力光波長数算出手段と、前記入力光波長数算出手段による前記入力光波長数、前記分岐光波長数算出部による前記分岐光波長数、及び前記挿入光波長数算出部による前記挿入光波長数に基づいて出力光波長数を算出する出力光波長数算出部と、前記出力光波長数算出部による出力光波長数を前記第２のカプラの出力光に合波する第３のカプラを備えることを特徴とするＯＡＤＭシステムを提供する。
【００１３】
この構成によれば、入力光波長数算出手段により算出された入力光波長数、分岐光波長数算出部により算出された分岐光波長数、および挿入光波長数算出部により算出された挿入光波長数に基づいて、出力光波長数算出部により出力光波長数が算出される。得られた出力光波長数は、第３のカプラにおいて第２のカプラの出力光に合波され、出力波長多重信号となる。したがって、多重波長数が増えても波長毎にレベルモニタ等を設ける必要がなくなるため、コストダウンが図れると共に信頼性の向上が可能になる。
【００１４】
また、本発明は、上記の目的を達成するため、第４の特徴として、波長多重伝送に用いられるＯＡＤＭ（Ｏｐｔｉｃａｌ  Ａｄｄ−Ｄｒｏｐ  Ｍｕｌｔｉｐｌｅｘｅｒ）システムの出力光波長数を算出する波長数算出方法において、入力波長多重信号の入力光波長数（Ｘ）、前記入力波長多重信号を波長毎に分波して得た分波光信号に基づいて算出した分岐光波長数（Ｙ）、および入力波長多重信号を分波した後の通過波長多重信号に挿入される挿入光の挿入光波長数（Ｚ）に基づいて、前記出力光波長数（Ａ）を、Ａ＝Ｘ−Ｙ＋Ｚとして算出することを特徴とするＯＡＤＭシステムの波長数算出方法を提供する。
【００１５】
この方法によれば、出力光波長数（Ａ）は、〔入力光波長数（Ｘ）−分岐光波長数（Ｙ）＋挿入光波長数（Ｚ）〕により求められ、この出力光波長数（Ａ）を求めるために波長毎のモニタ等の設置を不要にしながら、ＯＡＤＭシステムのコストアップを招くことなく波長数を算出することができる。
【００１６】
本発明は、上記の目的を達成するため、第５の特徴として、波長多重伝送に用いられるＯＡＤＭ（Ｏｐｔｉｃａｌ  Ａｄｄ−Ｄｒｏｐ  Ｍｕｌｔｉｐｌｅｘｅｒ）システムの出力光波長数を算出する波長数算出方法において、挿入光に基づいて挿入光波長数を算出し、入力波長多重信号の光レベルが規定値に達していないときに入力断の情報を生成し、前記入力断の情報の発生をもって前記挿入光波長数を前記出力光波長数にすることを特徴とするＯＡＤＭシステムの波長数算出方法を提供する。
【００１７】
この方法によれば、入力波長多重信号の光レベルが規定値に達していないとき、挿入光に基づいて算出した挿入光波長数が出力波長多重信号波長数として用いられる。これにより、波長毎のモニタ等の設置を不要にしながら、何らかの障害により入力波長多重信号が入力されない場合でも、出力光波長数を算出することができる。
【００１８】
【発明の実施の形態】
以下、本発明の実施の形態について図面を基に説明する。
〔第１の実施の形態〕
図１は本発明によるＯＡＤＭシステムを示す。
入力波長多重信号Ｓｉが入力される入力側光ファイバ１と、出力波長多重信号Ｓｏを出力する出力側光ファイバ２との間には、カプラ３とＯＡＤＭ４が直列接続して挿入されている。カプラ３には、光／電気変換器（Ｏ／Ｅ）５及び波長数情報デコード部６が直列接続され、波長数情報デコード部６の出力信号（入力光波長数）はＯＡＤＭ４に入力される。
【００１９】
ＯＡＤＭ４は、カプラ３に接続されたフォトダイオード（Ｐｈｏｔｏ  Ｄｉｏｄｅ  ：ＰＤ）１１、該ＰＤ１１に接続されたカプラ１２、該カプラ１２に接続されたＦＢＧ（Ｆｉｂｅｒ  Ｂｒａｇｇ  Ｇｒａｔｉｎｇ  ：ファイバー・ブラッグ・グレーティング）１３、該ＦＢＧ１３に接続されたカプラ１４、ＢＡ（  Ｂｏｏｓｔｅｒ  Ａｍｐｌｉｆｉｅｒ：ブースターアンプ）１５、該ＢＡに接続されたカプラ１６、カプラ１２に接続された分波フィルタ１７、該分波フィルタ１７に接続された分岐光波長数算出部１８、カプラ１４に接続された合波カプラ１９、該合波カプラ１９に接続された挿入光波長数算出部２０、該挿入光波長数算出部２０に接続された出力光波長数算出部２１、該出力光波長数算出部２１とカプラ１６の間に接続された電気／光変換器（Ｅ／Ｏ）２２、出力光波長数算出部２１とＢＡ１５の間に接続されたＢＡ制御部２３を備えて構成されている。
【００２０】
図２は、分岐光波長数算出部１８及び挿入光波長数算出部２０の構成を示す。分岐光波長数算出部１８は、カプラ１２からの分岐光の光レベルを検出するフォトダイオード（ＰＤ）４１−１〜４１−４と、これらフォトダイオード４１−１〜４１−４の出力信号に基づいて分岐光波長数４３を算出する分岐光波長数算出回路４２とを備えて構成されている。また、挿入光波長数算出部２０は、カプラ１４からの分岐光を検出するフォトダイオード（ＰＤ）４４−１〜４４−４と、これらフォトダイオード４４−１〜４４−４の出力信号に基づいて挿入光波長数４６を算出する挿入光波長数算出回路４５とを備えて構成されている。
【００２１】
上記構成においては、波長数情報デコード部６、分岐光波長数算出部１８、及び挿入光波長数算出部２０により、入力光波長数３１、分岐光波長数４３、及び挿入光波長数４６の三つの要素を算出し、出力光波長数算出部２１によって出力波長多重信号Ｓｏの波長数の算出が行われる。
【００２２】
次に、図１の構成のＯＡＤＭシステムの動作について説明する。
図示しない前段のシステムから入力されるＳＶ信号（Ｓｕｐｅｒ  Ｖｉｓｏｒｙ信号：波長数情報を含むシステム監視用の光信号）３０を含む入力波長多重信号Ｓｉは、カプラ３によってＳＶ信号３０と光信号（入力波長多重信号Ｓｉ）とに分波される。ＳＶ信号３０は光／電気変換器５によって電気信号に変換され、この電気信号に基づいて波長数情報デコード部６は入力光波長数３１を解読して出力する。
【００２３】
入力波長多重信号Ｓｉのレベルは、フォトダイオード１１によってレベルモニタされると共に、カプラ１２によって分岐光信号３２と通過波長多重信号３３に分波される。分岐光信号３２は、分波フィルタ１７において分岐・挿入波長として指定されている波長の光信号のみが透過され、透過した光信号が分岐光波長数算出部１８に入力される。分岐光波長数算出部１８は、分岐光信号３２の波長毎のレベルをフォトダイオード４１−１〜４１−４でモニタし、規定値に達しないものは“出力断”としてアラームを出力する。分岐光波長数算出部１８では、分岐光のポート数（この例の場合、“４”）から出力断アラームの数を差し引くことで、分岐光波長数４３を得ることができる。
【００２４】
通過波長多重信号３３はＦＢＧ１３を通過する際、分岐光波長の信号成分が除去される。このため、通過波長多重信号３３の波長数は、入力光波長数３１から分岐光波長数４３を差し引くことで求めることができる。挿入光波長数４６も挿入光波長数算出部２０で分岐光の場合と同様の方法で求められ、挿入光のレベルをフォトダイオード４４−１〜４４−４により波長毎にモニタする。フォトダイオード４４−１〜４４−４は、レベルが規定値に達しないものに対して“入力断”としてアラームを検出する。挿入光波長数算出回路４５では、挿入光のポート数（ここでは、“４”）から、入力断アラームの数を差し引くことにより、挿入光波長数４６を得ることができる。
【００２５】
挿入光波長数算出部２０を通過した挿入光信号３４の各波長の挿入光は、合波カプラ１９で合波された後、カプラ１４においてＦＢＧ１３からの通過波長多重信号３３に合波され、出力波長多重信号３５としてＢＡ１５に入力される。この出力波長多重信号３５の波長数は、出力光波長数算出部２１により、下記の式で求められる。
0003586659.tif 000002
【００２６】
以上のようにして求められた出力光波長数Ａは、ＢＡ１５の出力パワー制御を行なうＢＡ制御部２３の制御情報として用いられるほか、電気／光変換器２２によって光信号に変換され、ＳＶ信号３６となる。このＳＶ信号３６は、カプラ１６によって出力波長多重信号３５に合波され、図示しない次段のシステムへ波長数を伝達する。
【００２７】
図３は、本発明のＯＡＤＭシステムの各部の動作を示す。
ここでは、λ２、λ４、λ６、λ８の４つの波長を分岐し、λ２、λ４を挿入するものとする。また、入力波長多重信号Ｓｉとして、λ１、λ３〜λ８の７波（Ｘ）を含むものとし、この内のλ２、λ４、λ６、λ８の４波が分波フィルタ１７及び合波カプラ１９の透過波長として設定されているものとする。さらに、入力波長多重信号Ｓｉの波長数は、前段のシステムで既にＸ＝７波として算出されているものとする。
【００２８】
入力波長多重信号Ｓｉは、カプラ３を通過した後、カプラ１２によって分岐される。カプラ１２で分岐された分岐光は、その内のλ４、λ６、λ８の単一波長の光信号のみが分波フィルタ１７を透過し、その各分岐光がレベルモニタされる。波長λ２については、入力波長多重信号Ｓｉに含まれていないため、信号検出レベルの規定値に達することがない。したがって、出力断としてアラームが分岐光波長数算出部１８により報告される。分岐光の波長数Ｙは、分岐光ポート数（ここでは、４ポート）から出力断アラームの数を差し引くことで、次の様に求められる。
Ｙ＝４（分岐光ポート数）−１（λ２の信号断アラーム数）＝３〔波〕・・・  （２）
【００２９】
さらに、挿入光波長数算出部２０の挿入光ポートから、λ２、λ４の挿入光信号３４が挿入される。ここでも、挿入光波長数算出部２０によって波長毎にレベルがモニタされた際、波長λ６とλ８に対しては入力断アラームが報告される。分岐光の波長数算出の場合と同様に、挿入光ポート数（挿入光波長数）から入力断アラームの数を差し引くと、挿入光の波長数Ｚは、
Ｚ＝４（挿入光ポート数）−２（λ６、λ８の信号断アラーム数）＝２〔波〕として求められる。挿入光は、挿入光波長数算出部２０によって合波され、カプラ１４に入力される。
【００３０】
カプラ１２からの通過波長多重信号３３は、ＦＢＧ１３によって分岐波長（λ２、λ４、λ６、λ８）のみが除去された後、カプラ１４に送られる。カプラ１４では、ＦＢＧ１３からの通過波長多重信号３７と合波カプラ１９からの分岐光信号３２とが合波される。合波により得られた出力波長多重信号３５は、ＢＡ１５で光増幅された後、ＳＶ信号３６を出力波長多重信号３５にカプラ１６で合波した後、出力波長多重信号Ｓｏとして次段のシステムへ伝送される。出力波長多重信号Ｓｏの波長数Ａは、次式で求められる。
【００３１】
Ａ＝Ｘ−Ｙ＋Ｚ                        ・・・  （３）
図２では、分岐光の波長数Ｙ＝３、挿入光の波長数Ｚ＝２、入力波長多重信号波長数Ｘ＝７であるので、出力波長多重信号Ｓｏの波長数Ａは、Ａ＝７−３＋２＝６〔波〕になる。
【００３２】
以上説明したように、本発明の実施の形態によれば、入力波長多重信号Ｓｉの波長毎にモニタを行わないため、従来必要とした入力（出力）波長多重信号の波長単位でのモニタ回路の設置が不要になる。ＯＡＤＭが利用されるシステムでは、通過波長多重信号数は分岐・挿入信号数に比べて多くなる傾向があるため、分岐・挿入信号の波長数により出力波長多重信号の波長数を算出できる本発明は、部品点数の大幅な減少につながり、システムのコストを削減することができる。さらに、本発明の実施の形態によれば、部品削減のためにシステムの信頼性が向上する。部品点数を削減できるようになったことから部品に依存する故障率が低下し、したがってシステムの信頼性が向上する。
【００３３】
〔第２の実施の形態〕
上記した実施の形態においては、入力波長多重信号Ｓｉが有る場合を想定していたが、何らかの障害の発生により入力波長多重信号Ｓｉが入力されない場合も考えられる。その場合の出力光波長数の算出方法を以下に説明をする。
図１において、入力波長多重信号Ｓｉがカプラ３とフォトダイオード１１の間で途切れた場合を考察する。この場合、カプラ３では入力波長多重信号Ｓｉを正常に受信してＳＶ信号３０を分岐するため、前段から伝達される波長数は、波長数情報デコード部６でデコードされる。この状況では、フォトダイオード１１に入力波長多重信号Ｓｉが入光されないのに、前段からの波長数は波長数情報デコード部６によってカウントされるため、入力波長多重信号Ｓｉが有りの時と同じ算出方法を採用すると、誤った波長数を次段に伝えることとなる。
【００３４】
そこで、フォトダイオード１１における入力信号のレベルが規定値に達していないときには、“入力断”のアラームを報告させる。この場合、入力波長多重信号Ｓｉおよび分岐光信号３２の波長数が“０”になるため、下記の計算式が採用される。
0003586659.tif 000003
例えば、図３の場合、挿入光ポート数が“４”で分岐光信号３２が“２”であるので、出力波長多重信号波長数Ａ＝４−２＝２となる。このようにして、前段から信号入力がない場合でも、次段に正常な波長数を伝達することができる。
【００３５】
【発明の効果】
以上より明らかなように、本発明の第１のＯＡＤＭシステムによれば、入力光波長数、分岐光波長数、及び挿入光波長数のそれぞれを算出し、この３つの光波長数に基づいて出力光波長数算出手段により出力光波長数を算出し、この出力光波長数を合波手段によってＯＡＤＭの出力信号光に合波するようにしたので、多重波長数が増えても波長毎にモニタや光レベル制御器を設ける必要がなくなるため、コストダウンが図れると共に信頼性の向上が可能になる。
【００３６】
本発明の第２のＯＡＤＭシステムによれば、挿入光に基づいて挿入光波長数算出手段により挿入光波長数が算出し、入力波長多重信号の光レベルが規定値に達していないときに前記挿入光波長数を出力波長多重信号波長数として用いるようにしたので、何らかの障害により入力波長多重信号が入力されない場合でも、出力光波長数を算出することができる。
【００３７】
本発明の第３のＯＡＤＭシステムによれば、入力光波長数を算出する入力光波長数算出手段、分岐光波長数を算出する分岐光波長数算出部、および挿入光波長数を算出する挿入光波長数算出部、これらの出力に基づいて出力光波長数を算出する出力光波長数算出部を備える構成にしたので、多重波長数が増えても波長毎にモニタや光レベル制御器を設ける必要がなくなり、コストダウンが可能になると共に信頼性の向上が可能になる。
【００３８】
本発明の第１のＯＡＤＭシステムの波長数算出方法によれば、〔入力光波長数（Ｘ）−分岐光波長数（Ｙ）＋挿入光波長数（Ｚ）〕により出力光波長数（Ａ）を求めるようにしたので、出力光波長数（Ａ）を求めるために波長毎のモニタ等の設置を不要にしながら、ＯＡＤＭシステムのコストアップを招くことなく波長数を算出することができる。
【００３９】
本発明の第２のＯＡＤＭシステムの波長数算出方法によれば、入力波長多重信号の光レベルが規定値に達していないとき、挿入光に基づいて算出した挿入光波長数を出力波長多重信号波長数として用いるようにしたので、波長毎のモニタ等の設置を不要にしながら、何らかの障害により入力波長多重信号が入力されない場合でも、出力光波長数を算出することができる。
【図面の簡単な説明】
【図１】本発明によるＯＡＤＭシステムを示すブロック図である。
【図２】図１における分岐光波長数算出部及び挿入光波長数算出部の詳細構成を示すブロック図である。
【図３】本発明のＯＡＤＭシステムの各部の動作を示す説明図である。
【図４】従来のＯＡＤＭシステムを示すブロック図である。
【符号の説明】
１  入力側光ファイバ
２  出力側光ファイバ
３，１２，１４，１６  カプラ
４  ＯＡＤＭ（光アド・ドロップマルチプレクサ）
５  光／電気変換器
６  波長数情報デコード部
１１，４１−１〜４１−４，４４−１〜４４−４  フォトダイオード
１３  ＦＢＧ（ファイバー・ブラッグ・グレーティング）
１５  ＢＡ（ブースターアンプ）
１７  分波フィルタ
１８  分岐光波長数算出部
１９  合波カプラ
２０  挿入光波長数算出部
２１  出力光波長数算出部
２２  電気／光変換器
２３  ＢＡ制御部
３１  入力光波長数
３２  分岐光信号
３３  通過波長多重信号
３４  挿入光信号
３５  出力波長多重信号
３６  ＳＶ信号
４２  分岐光波長数算出回路
４３  分岐光波長数
４５  挿入光波長数算出回路
４６  挿入光波長数
Ｓｉ  入力波長多重信号
Ｓｏ  出力波長多重信号
【図１】
0003586659.tif 000004
【図２】
0003586659.tif 000005
【図３】
0003586659.tif 000006
【図４】
0003586659.tif 000007